【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
第１の位置システムを使用して行われる第１の位置推定に基づいて、モバイルデバイスの位置の決定を補助するためのコントローラであって、前記第１の位置システムは、無線基準ノードの第１のネットワークを含み、前記コントローラは、
前記第１の位置推定よりも粗い第２の位置推定に基づいて、前記モバイルデバイスの前記位置の最初の推定値を取得することと、
前記第１のネットワークの前記無線基準ノードのサブセットを選択するために前記最初の推定値を使用することであって、前記サブセットは、前記最初の推定値から決定した前記モバイルデバイスの前記位置の定義された近傍内にあることに基づいて選択される、使用することと、
前記モバイルデバイスと前記無線基準ノードの前記サブセットの一部又は全部との間で通信される信号、及び前記無線基準ノードの前記サブセットの前記一部又は全部についてのそれぞれの補助データに基づいて、前記モバイルデバイスの位置特定モジュールが第１の位置推定を行うことによって前記モバイルデバイスの前記位置のより細かい推定値を計算するために、前記第１の位置システムのサーバ上に保存された、前記第１のネットワークの前記無線基準ノードの各々についての前記それぞれの補助データのデータベースの中から、前記無線基準ノードの前記サブセットについての前記それぞれの補助データを、前記モバイルデバイス上の前記位置特定モジュールに選択的に提供することであって、前記より細かい推定値は、前記最初の推定値よりも細かい度合いまで計算される、提供することと、
を行う、コントローラ。
【請求項２】
前記コントローラは、前記第１の位置システムの前記サーバにおいて実行され、選択的な前記提供は、前記コントローラが、前記第１の位置システムの前記サーバから前記モバイルデバイスに、前記無線基準ノードの前記サブセットの各々についての前記それぞれの補助データを選択的に報告するようにすることを含む、請求項１に記載のコントローラ。
【請求項３】
前記コントローラは、前記モバイルデバイスにおいて実行され、選択的な前記提供は、前記コントローラが、前記最初の推定値に基づいて、前記第１の位置システムの前記サーバからの前記無線基準ノードの前記サブセットの各々についての前記それぞれの補助データを選択的に要求するようにすることを含む、請求項１に記載のコントローラ。
【請求項４】
前記無線基準ノードの各々についての前記それぞれの補助データが、前記無線基準ノードの各々のそれぞれの位置を含む、請求項１乃至３の何れか一項に記載のコントローラ。
【請求項５】
前記第１のネットワークは、専用の位置ネットワークである、請求項１乃至４の何れか一項に記載のコントローラ。
【請求項６】
前記第２の位置推定は、前記無線基準ノードの前記第１のネットワークとは別個の、無線基準ノードの第２のネットワークを含む第２の位置システムに基づいて取得される、請求項１乃至５の何れか一項に記載のコントローラ。
【請求項７】
前記第２の位置推定は、無線基準ノードの第２のネットワークを含む第２の位置システムに基づいて取得され、前記第２のネットワークは、前記第１のネットワークの前記無線基準ノードの全部又はサブセットの一部からなる、仮想の第２のネットワークを含む、請求項１乃至５の何れか一項に記載のコントローラ。
【請求項８】
前記第２の位置推定は、前記第１の位置ネットワークの前記無線基準ノードのうちの１つ又は複数に基づいて取得されるが、前記第１の位置推定を行うために必要とされる最小数よりも少ない無線基準ノードに基づいて取得される、請求項１乃至５又は７の何れか一項に記載のコントローラ。
【請求項９】
前記第２の位置推定は、前記第２の位置システムのサーバによって行われ、前記コントローラは、前記第２の位置システムの前記サーバから前記最初の推定値を受信する、請求項６若しくは７、又は請求項７に従属する請求項８に記載のコントローラ。
【請求項１０】
前記第２の位置推定は、前記コントローラによって行われる、請求項１乃至８の何れか一項に記載のコントローラ。
【請求項１１】
前記１つ又は複数の無線基準ノードは、前記１つ又は複数の無線基準ノードが位置する領域の指標をブロードキャストし、前記指標は、第１のサーバからの如何なる補助データなしに、前記モバイルデバイス上の前記コントローラによって解釈可能であり、前記第２の位置推定は、前記モバイルデバイスによる前記指標の受信に基づいて、前記モバイルデ
バイスが前記領域に位置するとの決定を含む、請求項３、８及び１０に記載のコントローラ。
【請求項１２】
前記モバイルデバイスが前記第２の位置推定の粗さ及び／又は前記近傍のサイズを選べるようにする、請求項１乃至１１の何れか一項に記載のコントローラ。
【請求項１３】
前記第１の位置システムの前記サーバは、要求当たり補助データが取得できる前記無線基準ノードの数を或る最大数までに制限するというポリシーを適用する、請求項１乃至１２の何れか一項に記載のコントローラ。
【請求項１４】
第１の位置システムを使用して行われる第１の位置推定に基づいて、モバイルデバイスの位置を決定する方法であって、前記第１の位置システムは、無線基準ノードの第１のネットワークを含み、前記方法は、
前記第１の位置推定よりも粗い第２の位置推定に基づいて、前記モバイルデバイスの前記位置の最初の推定値を取得するステップと、
前記第１のネットワークの前記無線基準ノードのサブセットを選択するために前記最初の推定値を使用するステップであって、前記サブセットが、前記最初の推定値から決定した前記モバイルデバイスの前記位置の定義された近傍内にあることに基づいて選択される、使用するステップと、
前記モバイルデバイスと前記無線基準ノードの前記サブセットの一部又は全部との間で通信される信号、及び前記無線基準ノードの前記サブセットの前記一部又は全部についてのそれぞれの補助データに基づいて、前記モバイルデバイスが前記第１の位置推定を行うことによって前記モバイルデバイスの前記位置のより細かい推定値を計算するために、前記第１の位置システムのサーバ上に保存された、前記第１のネットワークの前記無線基準ノードの各々についての前記それぞれの補助データのデータベースの中から、前記無線基準ノードのサブセットの各々についての前記それぞれの補助データを、前記モバイルデバイス上の位置特定モジュールに選択的に提供するステップであって、前記より細かい推定値は、前記最初の推定値よりも細かい度合いまで計算される、提供するステップと
を含む、方法。
【請求項１５】
第１の位置システムを使用して行われる第１の位置推定に基づいて、モバイルデバイスの位置の決定を補助するためのコンピュータプログラムであって、前記第１の位置システムは、無線基準ノードの第１のネットワークを含み、前記コンピュータプログラムは、コンピュータ可読媒体上で具現化される、かつ／又はコンピュータ可読媒体からダウンロード可能であるコードを含み、前記コードは、実行されるとき、
前記第１の位置推定よりも粗い第２の位置推定に基づいて、前記モバイルデバイスの前記位置の最初の推定値を取得することと、
前記第１のネットワークの前記無線基準ノードのサブセットを選択するために前記最初の推定値を使用することであって、前記サブセットが、前記最初の推定値から決定した前記モバイルデバイスの前記位置の定義された近傍内にあることに基づいて選択される、使用することと、
前記モバイルデバイスと前記無線基準ノードの前記サブセットの一部又は全部との間で通信される信号、及び前記無線基準ノードの前記サブセットの前記一部又は全部についてのそれぞれの補助データに基づいて、前記モバイルデバイスが前記第１の位置推定を行うことによって前記モバイルデバイスの前記位置のより細かい推定値を計算するために、前記第１の位置システムのサーバ上に保存された、前記第１のネットワークの前記無線基準ノードの各々についての前記それぞれの補助データのデータベースの中から、前記無線基準ノードのサブセットの各々についての前記それぞれの補助データを、前記モバイルデバイス上の位置特定モジュールに選択的に提供することであって、前記より細かい推定値は、前記最初の推定値よりも細かい度合いまで計算される、提供することと、
を行う、コンピュータプログラム。